【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
ハーネス（３４２）群に関する情報を表示するための方法であって、該方法は、
任意の数のプロセッサによって、データベース（３１０）の論理データ（３１２）を表示することであって、前記論理データ（３１２）は、ハーネス識別子（３６８）群及びビークル識別子（４３０）群を含む識別子（３１４）群を含み、
前記データベースの論理データは表形式ビューを通じてナビゲーションインタフェースの論理データウィンドウに表示され、
前記表形式ビューは、複数の行と複数の列とともにスプレッドシートとして表示される表を有し、
前記表は、前記識別子群からの識別子を含むヘッダーを有し、
前記複数の行は、前記論理データからのデータを含む、論理データを表示することと、
前記識別子（３１４）群の選択済み識別子（３２８）を受信することと、
ビークル識別子（３１８）に関連し且つ前記選択済み識別子（３２８）に関係するビークル（３３４）のモデル（３０２）に関係するハーネスセット（３０６）を含む、モデリングデータ（３０４）を表示することと
を含む方法。
【請求項２】
前記識別子（３１４）群は、機器識別子（４３２）群、コネクタ識別子（４３４）群、ゾーン識別子（４３６）群、ビークル識別子（４３０）群、及びサイト識別子（４３８）群をさらに含む、請求項１に記載の方法。
【請求項３】
サーバー（１０４）から前記論理データ（３１２）を受信することと、
前記選択済み識別子（３２８）を前記サーバー（１０４）へ送信することと、
前記選択済み識別子（３２８）の送信に対応して、前記サーバー（１０４）から前記モデリングデータ（３０４）を受信することと
をさらに含む、請求項１に記載の方法。
【請求項４】
前記モデリングデータ（３０４）は前記ビークル（３３４）のゾーン（３３６）群に関連する前記モデリングデータ（３０４）のゾーンセット（３０８）をさらに含み、各ゾーンは前記識別子（３１４）群のゾーン識別子（３２４）に関連している、請求項１に記載の方法。
【請求項５】
前記モデリングデータ（３０４）の表示後に前記論理データ（３１２）に関係する更新データ（３３０）を受信することと、
前記更新データ（３３０）の受信に対応して、前記更新データ（３３０）を前記データベース（３１０）に送信することと
をさらに含む、請求項１に記載の方法。
【請求項６】
前記更新データ（３３０）は、サイト（３３２）でビークル（３３４）のゾーン（３３６）内でコネクタ（３４０）によるハーネス（３４２）の機器（３３８）への据付を記録する据付計画（３４８）に関係し、
前記ハーネス（３４２）は前記識別子（３１４）群中のハーネス識別子（３１６）によって特定され、
前記機器（３３８）は前記識別子（３１４）群中の機器識別子（３２０）によって特定され、
前記コネクタ（３４０）は前記識別子（３１４）群中のコネクタ識別子（３２２）によって特定され、
前記ゾーン（３３６）は前記識別子（３１４）群中のゾーン識別子（３２４）によって特定され、
前記ビークル（３３４）は前記識別子（３１４）群中のビークル識別子（３１８）によって特定され、
前記サイト（３３２）は前記識別子（３１４）群中のサイト識別子（３２６）によって特定され、且つ
前記選択済み識別子（３２８）は前記ハーネス識別子（３１６）、前記機器識別子（３２０）、前記コネクタ識別子（３２２）、前記ゾーン識別子（３２４）、前記ビークル識別子（３１８）、及び前記サイト識別子（３２６）のうちの１つである
請求項５に記載の方法。  
【請求項７】
論理データ（３１２）を表示することは、
階層ツリー上に表示される識別子（３１４）群中の識別子間の関係性（３５４）を示す階層ツリーとして前記論理データ（３１２）を表示することをさらに含み、
前記選択済み識別子（３２８）は前記階層ツリーから選択され、
前記階層ツリーは階層ツリー群中の１つであり、各階層ツリーは前記識別子（３１４）群の組合せを表示し、且つ
前記階層ツリー群はサイト識別子（４３８）群を含むサイトツリー（３５２）、ゾーン識別子（４３６）群を含むゾーンツリー（３５８）、及びハーネス識別子（３６８）群を含むハーネスツリー（３６４）を含む
請求項１に記載の方法。
【請求項８】
前記階層ツリーとして表示される前記データベースの前記論理データは前記ナビゲーションインタフェースのツリーウィンドウ中に表示され、
前記モデリングデータは三次元であり、前記ナビゲーションインタフェースのモデルウィンドウ中に表示される、請求項７の方法。
【請求項９】
前記ハーネス識別子と、前記ビークル識別子の各々は、モデル番号、シリアル番号、及びレビジョン番号を有し、
前記モデリングデータはさらに、前記ビークルのゾーン群に関連した前記モデリングデータのゾーンセットを含み、各ゾーンは前記識別子群のゾーン識別子に関連する、請求項８に記載の方法。
【請求項１０】
モデリングデータ（３０４）を表示する装置であって、該装置は、
データベース（３１０）の論理データ（３１２）を表示するように構成されたディスプレイ（１１４）であって、前記論理データはハーネス識別子（３６８）群及びビークル識別子（４３０）群を含む識別子（３１４）群を含み、
前記データベースの論理データは表形式ビューを通じてナビゲーションインタフェースの論理データウィンドウに表示され、
前記表形式ビューは、複数の行と複数の列とともにスプレッドシートとして表示される表を有し、
前記表は、前記識別子群からの識別子を含むヘッダーを有し、
前記複数の行は、前記論理データからのデータを含む、ディスプレイ（１１４）と、
前記識別子（３１４）群の選択済み識別子（３２８）を受信するように構成されたプロセッサとを含み、
前記ディスプレイ（１１４）は、ビークル識別子（３１８）に関連し且つ前記選択済み識別子（３２８）に関係するビークル（３３４）のモデル（３０２）に関係するハーネスセット（３０６）を含む、モデリングデータ（３０４）を表示するようにさらに構成されている装置。
【請求項１１】
前記プロセッサはサーバー（１０４）から前記論理データ（３１２）を受信するようにさらに構成されており、
前記プロセッサは前記サーバー（１０４）へ前記選択済み識別子（３２８）を送信するようにさらに構成されており、
前記プロセッサは前記選択済み識別子（３２８）の送信に対応して、前記サーバー（１０４）から前記モデリングデータ（３０４）を受信するようにさらに構成されている
請求項１０に記載の装置。
【請求項１２】
前記モデリングデータ（３０４）は前記ビークル（３３４）のゾーン（３３６）群に関係する前記モデリングデータ（３０４）のゾーンセット（３０８）をさらに含み、各ゾーンは前記識別子（３１４）群のゾーン識別子（３２４）に関連している
請求項１０に記載の装置。
【請求項１３】
前記プロセッサは前記モデリングデータ（３０４）の表示後に前記論理データ（３１２）に関係する更新データ（３３０）を受信するようにさらに構成されており、
前記プロセッサは前記更新データ（３３０）の受信に対応して前記更新データ（３３０）を前記データベース（３１０）に送信するようにさらに構成されている
請求項１０に記載の装置。  
【請求項１４】
前記更新データ（３３０）は、サイトで前記ビークル（３３４）のゾーン（３３６）内でコネクタ（３４０）によるハーネス（３４２）の機器（３３８）への据付を記録する据付計画（３４８）に関係し、
前記ハーネス（３４２）は前記識別子（３１４）群中のハーネス識別子（３１６）によって特定され、
前記機器（３３８）は前記識別子（３１４）群中の機器識別子（３２０）によって特定され、
前記コネクタ（３４０）は前記識別子（３１４）群中のコネクタ識別子（３２２）によって特定され、
前記ゾーン（３３６）は前記識別子（３１４）群中のゾーン識別子（３２４）によって特定され、
前記ビークル（３３４）は前記識別子（３１４）群中のビークル識別子（３１８）によって特定され、
前記サイト（３３２）は前記識別子（３１４）群中のサイト識別子（３２６）によって特定され、且つ
前記選択済み識別子（３２８）は前記ハーネス識別子（３１６）、前記機器識別子（３２０）、前記コネクタ識別子（３２２）、前記ゾーン識別子（３２４）、前記ビークル識別子（３１８）、及び前記サイト識別子（３２６）のうちの１つである
請求項１３に記載の装置。  
【請求項１５】
前記ディスプレイ（１１４）は前記階層ツリー上に表示される前記識別子（３１４）群中の識別子間の関係性（３５４）を示す階層ツリーとして前記論理データ（３１２）を表示するようにさらに構成されており、
前記選択済み識別子（３２８）は前記階層ツリーから選択され、
前記階層ツリーは複数の階層ツリー中の１つであり、各階層ツリーは前記識別子（３１４）群の組合せを表示し、且つ
前記複数の階層ツリーは複数のサイト識別子（４３８）を含むサイトツリー（３５２）、複数のゾーン識別子（４３８）を含むゾーンツリー（３５８）、及び複数のハーネス識別子（３６８）を含むハーネスツリー（３６４）を含む
請求項１０に記載の装置。
【手続補正２】
【補正対象書類名】明細書
【補正対象項目名】０１６３
【補正方法】変更
【補正の内容】
【０１６３】
種々の例示的な実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の実施形態は、他の例示的な実施形態とは異なる特徴を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
ハーネス（３４２）群に関する情報を表示するための方法であって、該方法は、
データベース（３１０）の論理データ（３１２）であって、ハーネス識別子（３６８）群及びビークル識別子（４３０）群を含む識別子（３１４）群を含む論理データ（３１２）を表示することと、
前記識別子（３１４）群の選択済み識別子（３２８）を受信することと、
ビークル識別子（３１８）に関連し且つ前記選択済み識別子（３２８）に関係するビークル（３３４）のモデル（３０２）に関係するハーネスセット（３０６）を含む、モデリングデータ（３０４）を表示することと
を含む方法。
（態様２）
前記識別子（３１４）群は、機器識別子（４３２）群、コネクタ識別子（４３４）群、ゾーン識別子（４３６）群、ビークル識別子（４３０）群、及びサイト識別子（４３８）群をさらに含む、態様１に記載の方法。
（態様３）
サーバー（１０４）から前記論理データ（３１２）を受信することと、
前記選択済み識別子（３２８）を前記サーバー（１０４）へ送信することと、
前記選択済み識別子（３２８）の送信に対応して、前記サーバー（１０４）から前記モデリングデータ（３０４）を受信することと
をさらに含む、態様１に記載の方法。
（態様４）
前記モデリングデータ（３０４）は前記ビークル（３３４）のゾーン（３３６）群に関連する前記モデリングデータ（３０４）のゾーンセット（３０８）をさらに含み、各ゾーンは前記識別子（３１４）群のゾーン識別子（３２４）に関連している、態様１に記載の方法。
（態様５）
前記モデリングデータ（３０４）の表示後に前記論理データ（３１２）に関係する更新データ（３３０）を受信することと、
前記更新データ（３３０）の受信に対応して、前記更新データ（３３０）を前記データベース（３１０）に送信することと
をさらに含む、態様１に記載の方法。
（態様６）
前記更新データ（３３０）は、サイト（３３２）でビークル（３３４）のゾーン（３３６）内でコネクタ（３４０）によるハーネス（３４２）の機器（３３８）への据付を記録する据付計画（３４８）に関係し、
前記ハーネス（３４２）は前記識別子（３１４）群中のハーネス識別子（３１６）によって特定され、
前記機器（３３８）は前記識別子（３１４）群中の機器識別子（３２０）によって特定され、
前記コネクタ（３４０）は前記識別子（３１４）群中のコネクタ識別子（３２２）によって特定され、
前記ゾーン（３３６）は前記識別子（３１４）群中のゾーン識別子（３２４）によって特定され、
前記ビークル（３３４）は前記識別子（３１４）群中のビークル識別子（３１８）によって特定され、
前記サイト（３３２）は前記識別子（３１４）群中のサイト識別子（３２６）によって特定され、且つ
前記選択済み識別子（３２８）は前記ハーネス識別子（３１６）、前記機器識別子（３２０）、前記コネクタ識別子（３２２）、前記ゾーン識別子（３２４）、前記ビークル識別子（３１８）、及び前記サイト識別子（３２６）のうちの１つである
態様５に記載の方法。  
（態様７）
論理データ（３１２）を表示することは、
階層ツリー上に表示される識別子（３１４）群中の識別子間の関係性（３５４）を示す階層ツリーとして前記論理データ（３１２）を表示することをさらに含み、
前記選択済み識別子（３２８）は前記階層ツリーから選択され、
前記階層ツリーは階層ツリー群中の１つであり、各階層ツリーは前記識別子（３１４）群の組合せを表示し、且つ
前記階層ツリー群はサイト識別子（４３８）群を含むサイトツリー（３５２）、ゾーン識別子（４３６）群を含むゾーンツリー（３５８）、及びハーネス識別子（３６８）群を含むハーネスツリー（３６４）を含む
態様１に記載の方法。
（態様８）
モデリングデータ（３０４）を表示する装置であって、該装置は、
データベース（３１０）の論理データ（３１２）であって、ハーネス識別子（３６８）群及びビークル識別子（４３０）群を含む識別子（３１４）群を含む論理データ（３１２）を表示するように構成されたディスプレイ（１１４）と、
前記識別子（３１４）群の選択済み識別子（３２８）を受信するように構成されたプロセッサとを含み、
前記ディスプレイ（１１４）は、ビークル識別子（３１８）に関連し且つ前記選択済み識別子（３２８）に関係するビークル（３３４）のモデル（３０２）に関係するハーネスセット（３０６）を含む、モデリングデータ（３０４）を表示するようにさらに構成されている装置。
（態様９）
前記識別子（３１４）群は、機器識別子（４３２）群、コネクタ識別子（４３４）群、ゾーン識別子（４３６）群、ビークル識別子（４３０）群、及びサイト識別子（４３８）群をさらに含む、態様８に記載の装置。
（態様１０）
前記プロセッサはサーバー（１０４）から前記論理データ（３１２）を受信するようにさらに構成されており、
前記プロセッサは前記サーバー（１０４）へ前記選択済み識別子（３２８）を送信するようにさらに構成されており、
前記プロセッサは前記選択済み識別子（３２８）の送信に対応して、前記サーバー（１０４）から前記モデリングデータ（３０４）を受信するようにさらに構成されている
態様８に記載の装置。
（態様１１）
前記モデリングデータ（３０４）は前記ビークル（３３４）のゾーン（３３６）群に関係する前記モデリングデータ（３０４）のゾーンセット（３０８）をさらに含み、各ゾーンは前記識別子（３１４）群のゾーン識別子（３２４）に関連している
態様８に記載の装置。
（態様１２）
前記プロセッサは前記モデリングデータ（３０４）の表示後に前記論理データ（３１２）に関係する更新データ（３３０）を受信するようにさらに構成されており、
前記プロセッサは前記更新データ（３３０）の受信に対応して前記更新データ（３３０）を前記データベース（３１０）に送信するようにさらに構成されている
態様８に記載の装置。  
（態様１３）
前記更新データ（３３０）は、サイトで前記ビークル（３３４）のゾーン（３３６）内でコネクタ（３４０）によるハーネス（３４２）の機器（３３８）への据付を記録する据付計画（３４８）に関係し、
前記ハーネス（３４２）は前記識別子（３１４）群中のハーネス識別子（３１６）によって特定され、
前記機器（３３８）は前記識別子（３１４）群中の機器識別子（３２０）によって特定され、
前記コネクタ（３４０）は前記識別子（３１４）群中のコネクタ識別子（３２２）によって特定され、
前記ゾーン（３３６）は前記識別子（３１４）群中のゾーン識別子（３２４）によって特定され、
前記ビークル（３３４）は前記識別子（３１４）群中のビークル識別子（３１８）によって特定され、
前記サイト（３３２）は前記識別子（３１４）群中のサイト識別子（３２６）によって特定され、且つ
前記選択済み識別子（３２８）は前記ハーネス識別子（３１６）、前記機器識別子（３２０）、前記コネクタ識別子（３２２）、前記ゾーン識別子（３２４）、前記ビークル識別子（３１８）、及び前記サイト識別子（３２６）のうちの１つである
態様１２に記載の装置。  
（態様１４）
前記ディスプレイ（１１４）は前記階層ツリー上に表示される前記識別子（３１４）群中の識別子間の関係性（３５４）を示す階層ツリーとして前記論理データ（３１２）を表示するようにさらに構成されており、
前記選択済み識別子（３２８）は前記階層ツリーから選択され、
前記階層ツリーは複数の階層ツリー中の１つであり、各階層ツリーは前記識別子（３１４）群の組合せを表示し、且つ
前記複数の階層ツリーは複数のサイト識別子（４３８）群を含むサイトツリー（３５２）、複数のゾーン識別子（４３８）を含むゾーンツリー（３５８）、及び複数のハーネス識別子（３６８）を含むハーネスツリー（３６４）を含む
態様８に記載の装置。